(57)【要約】【課題】設置の際に操作部の向きを容易に調整可能な止水栓及びこれを備えた水栓装置を提供すること。【解決手段】通水路２４を形成する通水路形成部２５を有する止水管本体２２と、通水路形成部に装着される弁体２６と、弁体に連動して通水路を開閉するための操作部１ａとを備えた止水栓１であって、止水栓本体は接続管２３を装着するための筒部２７を有し、筒部の内側に通水路が連通するように構成され、接続管は、筒状の接続ねじ部２１と円筒部２８とを先端側からこの順に有し、接続ねじ部の内部と円筒部の内部とにわたって形成される管路３０は接続管の後端側には通じないように閉塞され、止水栓本体の筒部に対して接続管が先端側から差し込まれ、筒部内に円筒部が位置する状態では、接続管は筒部の軸心回りに回動可能であり、かつ、管路は、円筒部に設けられた貫通孔３２を介して通水路に連通するように構成されている。【選択図】図３
2014145395.tif 000002
【特許請求の範囲】
【請求項１】
通水路を形成する通水路形成部を有する止水管本体と、前記通水路形成部に装着される弁体と、前記弁体に連動して通水路を開閉するための操作部とを備えた止水栓であって、
前記止水栓本体は接続管を装着するための筒部を有し、該筒部の内側に前記通水路が連通するように構成され、
前記接続管は、筒状の接続ねじ部と円筒部とを先端側からこの順に有し、前記接続ねじ部の内部と前記円筒部の内部とにわたって形成される管路は前記接続管の後端側には通じないように閉塞され、
前記止水栓本体の筒部に対して前記接続管が先端側から差し込まれ、前記筒部内に前記円筒部が位置する状態では、前記接続管は前記筒部の軸心回りに回動可能であり、かつ、前記管路は、前記円筒部に設けられた貫通孔を介して前記通水路に連通するように構成されていることを特徴とする止水栓。
【請求項２】
前記筒部は、その両端のいずれからでも前記接続管を差し込み可能に構成されている請求項１に記載の止水栓。
【請求項３】
内部に配管が設けられるケースと、
前記配管に接続される吐出部と、
前記ケースの内部に収納され、前記配管の上流側に設けられる止水栓とを備え、
前記ケースの側面には蓋体によって開閉可能に覆われる開口部が設けられると共に、前記止水栓は請求項１または２に記載の止水栓であり、該止水栓の前記操作部は、前記開口部から前記ケースの外側を臨むように配置されることを特徴とする水栓装置。
【発明の詳細な説明】
【技術分野】
【０００１】
この発明は、止水栓及びこれを備えた水栓装置に関する。
【背景技術】
【０００２】
平時には触れられることのない止水栓等の機構部をケース内に収納するようにした水栓装置が公知である。例えば特許文献１にこの種の水栓装置が開示されている。
【０００３】
図７（Ａ）〜（Ｃ）にその具体例を示している。この図に示す水栓装置は、浴室内に設置されるもので、縦長のケース５１の前面にはオーバーヘッドシャワー吐出部５２及びボデーシャワー吐出部５３が、下面には吐出管（カラン）５４が、側面にはハンドシャワー吐出部５５がそれぞれ設けられている（図７（Ａ）参照）。
【０００４】
また、ケース５１の下部には開口部５６が設けられ、その開口部５６から止水栓５７の操作部５７ａが外側（前側）を臨み、平時は蓋５８で開口部５６が塞がれた状態とされ、メンテナンス等の際には蓋５８が外されて止水栓５７の操作部５７ａが露出するように構成されている（図７（Ｂ）及び（Ｃ）参照）。
【先行技術文献】
【特許文献】
【０００５】
【特許文献１】特開２００９−２１３８６６号公報
【発明の概要】
【発明が解決しようとする課題】
【０００６】
上記水栓装置では、その設置時に、止水栓５７の操作部５７ａが開口部５６から外側（前側）を臨むように向きを調整しなければならず、その調整に関して以下のような問題がある。
【０００７】
すなわち、まず、図７（Ｃ）に示す例では、継手５９を介して止水栓５７が壁内に配置された供給管６０に間接的に接続されているが、水栓装置の種類等によっては止水栓５７が供給管６０に直接接続されるように構成される場合もある。そして、何れの場合であっても、供給管６０にはねじ接続されるのであり、継手５９または止水栓５７の上流部に形成された雄ねじ部にシールテープを巻き付けた後、この雄ねじ部を供給管６０に設けられた雌ねじ部にねじ込むことが一般的に行われている。このねじ込みは、ねじ込み深さが十分な水密性を得られるレベルに達し、かつ、止水栓５７の操作部５７ａが開口部５６側に向く状態になれば完了する。
【０００８】
しかし、上記ねじ込みを行う際に、ねじ戻しを少しでも行うとシールテープが水密状態を損なうように変形して漏水を引き起こしてしまう恐れがある。そのため、ねじ戻しをすることなく、継手５９または止水栓５７の向きを微調整しながら慎重にねじ込まなければならないこの施工は、特に未習熟な者にとっては難しく、シールテープの巻き直しをも含めた施工のやり直しを余儀なくされることが多い。また、止水栓５７の向きの調整がうまくいかなければ、止水栓５７の操作部５７ａの操作に支障を来す上、止水栓５７と下流側部材（湯用配管６１、水用配管６２等）との接続作業にも悪影響が及び兼ねない。
【０００９】
本発明は上述の事柄に留意してなされたもので、その目的は、設置の際に操作部の向きを容易に調整可能な止水栓及びこれを備えた水栓装置を提供することにある。
【課題を解決するための手段】
【００１０】
上記目的を達成するために、本発明に係る止水栓は、通水路を形成する通水路形成部を有する止水管本体と、前記通水路形成部に装着される弁体と、前記弁体に連動して通水路を開閉するための操作部とを備えた止水栓であって、前記止水栓本体は接続管を装着するための筒部を有し、該筒部の内側に前記通水路が連通するように構成され、前記接続管は、筒状の接続ねじ部と円筒部とを先端側からこの順に有し、前記接続ねじ部の内部と前記円筒部の内部とにわたって形成される管路は前記接続管の後端側には通じないように閉塞され、前記止水栓本体の筒部に対して前記接続管が先端側から差し込まれ、前記筒部内に前記円筒部が位置する状態では、前記接続管は前記筒部の軸心回りに回動可能であり、かつ、前記管路は、前記円筒部に設けられた貫通孔を介して前記通水路に連通するように構成されている（請求項１）。
【００１１】
上記止水栓において、前記筒部は、その両端のいずれからでも前記接続管を差し込み可能に構成されていてもよい（請求項２）。
【００１２】
一方、上記目的を達成するために、本発明に係る水栓装置は、内部に配管が設けられるケースと、前記配管に接続される吐出部と、前記ケースの内部に収納され、前記配管の上流側に設けられる止水栓とを備え、前記ケースの側面には蓋体によって開閉可能に覆われる開口部が設けられると共に、前記止水栓は請求項１または２に記載の止水栓であり、該止水栓の前記操作部は、前記開口部から前記ケースの外側を臨むように配置される（請求項３）。
【発明の効果】
【００１３】
本願発明では、設置の際に操作部の向きを容易に調整可能な止水栓及びこれを備えた水栓装置が得られる。
【００１４】
すなわち、本願の各請求項に係る発明の止水栓では、止水栓本体の筒部に接続管を差し込んだ状態で、接続管の接続ねじ部のねじ込み作業を行った後であっても、止水栓本体を筒部の軸心回りに回動させて操作部の向きを調整可能であり、取り付け作業自体が簡易となる上、操作部を理想的な方向に向けることができ、止水栓に対する他の部材の接続も容易となることを期待することができる。
【００１５】
請求項２に係る発明の止水栓では、例えば二つの止水栓を左右対称に配置する場合であっても、左右で互いに構造が異なる止水栓本体や接続管を用いる必要はなく、設置の際に筒部に対する接続管の差し込み方向を変えるだけでよい。
【図面の簡単な説明】
【００１６】
【図１】（Ａ）〜（Ｃ）は、本発明の一実施の形態に係る水栓装置の構成を概略的に示す正面図、部分切断正面図及び側面から見た縦断面図である。
【図２】前記水栓装置の要部の構成を概略的に示す縦断面図である。
【図３】（Ａ）及び（Ｂ）は、前記水栓装置の止水栓の構成を概略的に示す部分切断正面図及び縦断面図である。
【図４】（Ａ）及び（Ｂ）は、前記止水栓の止水栓本体の構成を概略的に示す縦断面図及び横断面図、（Ｃ）は（Ｂ）のＸ−Ｘ線断面図、（Ｄ）は（Ｂ）のＹ−Ｙ線断面図である。
【図５】（Ａ）及び（Ｂ）は接続管の構成を概略的に示す縦断面図及び平面図、（Ｃ）は（Ａ）のＡ−Ａ線断面図である。
【図６】（Ａ）及び（Ｂ）は、前記止水栓の固定ナットの構成を概略的に示す正面図及び断面図である。
【図７】（Ａ）〜（Ｃ）は、従来の水栓装置の構成を概略的に示す正面図、断面図及び要部拡大図である。
【発明を実施するための形態】
【００１７】
本発明の実施の形態について図面を参照しながら以下に説明する。
【００１８】
本実施の形態に係る水栓装置は、平時には触れられることのない止水栓１（図１（Ｂ）及び（Ｃ）参照）等の機構部を縦長のケース２内に収納するようにし、浴室やシャワールーム等に設置される多機能水栓装置として構成されたものであり、ケース２の前面にはオーバーヘッドシャワー吐出部３及びボデーシャワー吐出部４が、側面にはハンドシャワー吐出部５がそれぞれ設けられている（図１（Ａ）参照）。
【００１９】
また、ケース２の前面には、三つのハンドル６，７，８が設けられ、一番上のハンドル６を操作すると、オーバーヘッドシャワー吐出部３からの吐出及びハンドシャワー吐出部５からの吐出の切換えと、両吐出部３，５からの吐出流量の調整とを行うことができる。また、真ん中のハンドル７を操作すると、三つのボデーシャワー吐出部４からの吐出流量の調整を行うことができ、一番下のハンドル８を操作すると、各吐出部３，４，５から吐出される湯水の温度調整を行うことができる。
【００２０】
ここで、各吐出部３，４，５は、ケース２の内部に設けられた配管に接続されているのであり、本例では、ケース２の内部に設けられる湯水の混合部９の上流側に湯用配管１０、水用配管１１が接続され、混合部９において任意の割合で混合された湯水は、複数の湯水共用配管１２に分岐して流れて各吐出部３，４，５へと至るように構成されている（図１（Ｂ）及び（Ｃ）参照）。また、ケース２の内部には、ハンドル６，７，８の上記各操作によって上記の切換え、吐出流量の調整、吐出される湯水の温度調整を行えるような機構部が収納されているのであり、それらの機構部の構成については公知のものを採用可能であり、詳細な説明は省略する。
【００２１】
一方、ケース２の左右の側面下部には、蓋体１３によって開閉可能に覆われる開口部１４が設けられると共に、止水栓１の操作部１ａは、開口部１４からケース２の外側を臨むように配置される（図１（Ｂ）参照）。尚、図１（Ｂ）は、左右の開口部１４のうち左側の開口部１４のみを蓋体１３で覆ってある状態を示している。
【００２２】
以下、止水栓１の構成について詳述する。止水栓１は、湯用配管１０及び水用配管１１の上流側に各々設けられ、各止水栓１は、壁Ｗ内に配置される供給管Ｓにねじ接続される（図１（Ｃ）及び図２参照）。そして、このねじ接続の際に、操作部１ａ（図１（Ｂ）参照）の向きの調整が容易となるように、供給管Ｓの雌ねじ部にねじ込まれる雄ねじ部２１を、止水栓本体２２には設けず、止水栓本体２２とは別体の接続管２３に設け、この接続管２３に対して止水栓本体２２が回動可能となるようにしてあり、また、止水栓本体２２と接続管２３とは、供給管Ｓから湯用配管１０または水用配管１１へと繋がる一つの流路を形成するようにしてある。
【００２３】
具体的には、止水栓１は、図３（Ａ）及び（Ｂ）に示すように、通水路２４を形成する通水路形成部２５を有する止水栓本体２２と、通水路形成部２５に装着される弁体２６と、弁体２６に連動して通水路２４を開閉するための操作部１ａとを備えている。本例では、弁体２６を用いてチャッキバルブ（リフトチャッキバルブ）を構成してある。尚、図３（Ｂ）において、２４ａはストレーナである。
【００２４】
また、止水栓本体２２は、図３（Ａ）及び（Ｂ）、図４（Ａ）〜（Ｄ）に示すように、接続管２３を装着するための筒部２７を有し、筒部２７の内側に通水路２４が連通するように構成されている。
【００２５】
一方、接続管２３は、図５（Ａ）に示すように、雄ねじ部（筒状の接続ねじ部の一例）２１と円筒部２８と頭部２９とを先端側からこの順に有し、雄ねじ部２１の内部と円筒部２８の内部とにわたって形成される管路３０は接続管２３の後端側には通じないように閉塞されている。また、頭部２９は円筒部２８よりも外径が大となっており、その端面には断面正六角形状の凹入部３１が設けられている（図５（Ａ）及び（Ｂ）参照）。
【００２６】
そして、図２及び図３（Ａ）に示すように、止水栓本体２２の筒部２７に対して接続管２３をその先端側から差し込み、筒部２７内に円筒部２８が位置する状態では、接続管２３は筒部２７の軸心回りに回動可能であり、かつ、管路３０は、円筒部２８に設けられた複数の貫通孔３２（図５（Ｃ）参照）を介して通水路２４に連通するように構成されている。また、このとき、筒部２７と接続管２３との間の水密は、円筒部２８の外周面において各貫通孔３２を挟む位置に設けられる二つのシール部材（Ｏリング）３３によって保たれる。
【００２７】
従って、図２に示すように、本実施形態の止水栓１を供給管Ｓに接続するには、止水栓本体２２の筒部２７に接続管２３を差し込み、接続管２３の雄ねじ部２１に固定ナット３４（図６（Ａ）及び（Ｂ）参照）を装着した状態で、接続管２３の凹入部３１に嵌め込み可能な工具を用いて接続管２３を供給管Ｓにねじ込み、その後、止水栓本体２２を筒部２７の軸心回りに回動させて操作部１ａが開口部１４側を向くように調整し、最後に固定ナット３４を締めるだけでよい。ここで、接続管２３の頭部２９の外径は筒部２７の内径よりも大となっているので、接続管２３が筒部２７から抜けてしまうことはない。尚、ケース２の背面において供給管Ｓの前側に位置する部分は図２に示すように切り欠かれている。
【００２８】
本実施形態では、上記のように止水栓１を取り付けることができるので、取り付け作業自体が簡易となる上、供給管Ｓに対する接続管２３の接続後であっても止水栓本体２２の向きを変更可能であるため、操作部１ａを理想的な方向に向けることができ、止水栓１と湯用配管１０、水用配管１１との接続も容易に行える。
【００２９】
また、筒部２７は、その両端のいずれからでも接続管２３を差し込み可能に構成されているので、例えば図１（Ｂ）に示すように二つの止水栓１を左右対称に配置する場合であっても、左右で互いに構造が異なる止水栓本体２２や接続管２３を用いる必要はなく、設置の際に筒部２７に対する接続管２３の差し込み方向を変えるだけでよい。
【００３０】
なお、本発明は、上記の実施の形態に何ら限定されず、本発明の要旨を逸脱しない範囲において種々に変形して実施し得ることは勿論である。例えば、以下のように変形することができる。
【００３１】
上記実施の形態では、チャッキバルブを用いているが、これに限らず、例えば、ゲートバルブ、グローブバルブ、ボールバルブ、バタフライバルブ等を用いるようにしてもよい。
【００３２】
上記実施の形態では、接続管２３の雄ねじ部２１をケース２の背面側へと向け、操作部１ａをケース２の左面側または右面側へと向ける位置関係上、操作部１ａと筒部２７とは、筒部２７の軸心を鉛直方向に向けたときに操作部１ａが水平方向に向く位置関係にあるが、これに限らず、両者１ａ、２７の位置関係は設置する状況等に応じて適宜に変更可能である。
【００３３】
なお、上記変形例どうしを適宜組み合わせてもよいことはいうまでもない。
【符号の説明】
【００３４】
１    止水栓
１ａ  操作部
２    ケース
３    オーバーヘッドシャワー吐出部
４    ボデーシャワー吐出部
５    ハンドシャワー吐出部
６    ハンドル
７    ハンドル
８    ハンドル
９    混合部
１０    湯用配管
１１    水用配管
１２    湯水共用配管
１３    蓋体
１４    開口部
２１    雄ねじ部
２２    止水栓本体
２３    接続管
２４    通水路
２４ａ  ストレーナ
２５    通水路形成部
２６    弁体
２７    筒部
２８    円筒部
２９    頭部
３０    管路
３１    凹入部
３２    貫通孔
３３    シール部材
３４    固定ナット
５１    ケース
５２    オーバーヘッドシャワー吐出部
５３    ボデーシャワー吐出部
５４    吐出管
５５    ハンドシャワー吐出部
５６    開口部
５７    止水栓
５７ａ  操作部
５８    蓋
５９    継手
６０    供給管
６１  湯用配管
６２  水用配管
Ｓ  供給管
【図１】
2014145395.tif 000003
【図２】
2014145395.tif 000004
【図３】
2014145395.tif 000005
【図４】
2014145395.tif 000006
【図５】
2014145395.tif 000007
【図６】
2014145395.tif 000008
【図７】
2014145395.tif 000009